(57)【要約】【課題】鏡の製造コストが増加することを抑制しつつ、鏡を介して対象物の色を把握する場合において、対象物の色を正確に把握できるようにする。【解決手段】発光装置１０は、発光部１１０及び制御部１２０を備えている。発光部１１０は、鏡１２に対向する対象物Ｏ（例えば人物）に向けて光を照射し、かつ調光可能である。制御部１２０は、発光部１１０を制御する。鏡１２は、第１の波長域における光の反射率が、他の波長域における光の反射率よりも低い。そして、制御部１２０は、この第１の波長域の光が他の波長域の光よりも強くなるように、発光部１１０を制御する。【選択図】図１
2015106526.tif 000002
【特許請求の範囲】
【請求項１】
鏡に対向する対象物に向けて光を照射し、かつ調光可能な発光部と、
前記発光部を制御する制御部と、
を備え、
前記鏡は、第１の波長域における光の反射率が、他の波長域における光の反射率よりも低く、
前記制御部は、前記第１の波長域の光が他の波長域の光よりも強くなるように、前記発光部を制御する発光装置。
【請求項２】
請求項１に記載の発光装置において、
前記鏡に反射された後の前記発光部が発光した光の演色評価数は、前記鏡に反射される前の前記発光部が発光した光の演色評価数よりも高い発光装置。
【請求項３】
請求項２に記載の発光装置において、
前記発光部は、
基板と、
前記基板上に形成され、互いに異なる波長域にピークを有する複数種類の発光素子と
前記複数種類の発光素子を制御する制御部と、
を備え、
前記制御部は、前記複数種類の発光素子のうち、ピークが前記第１の波長域に含まれる前記発光素子を、他の前記発光素子よりも強く発光させる発光装置。
【請求項４】
請求項３に記載の発光装置において、
調整前の発光部のスペクトルを基準にして前記発光部全体における発光スペクトルを規格化した場合、前記第１の波長域の強度が他の波長域の強度よりも大きい発光装置。
【請求項５】
請求項４に記載の発光装置において、
前記第１の波長域は青色の波長域を含む発光装置。
【請求項６】
請求項５に記載の発光装置において、
前記鏡を有する発光装置。
【請求項７】
鏡に対向する対象物に向けて光を照射し、かつ、互いに異なる波長域にピークを有する複数種類の発光素子を有する発光部と、
基準となる光のスペクトルを示す基準スペクトル情報を記憶する基準記憶部と、
前記鏡の反射率の波長依存性を示す反射率情報を取得する波長依存取得部と、
前記反射率情報および前記基準スペクトル情報に基づいて、前記発光部の発光条件を定める発光条件設定部と、
前記発光条件に基づいて前記発光部を制御する制御部と、
を備える発光装置。
【請求項８】
請求項７に記載の発光装置において、
前記波長依存取得部は、
前記発光部が発光している状態において前記鏡からの光を受光する受光部と、
前記受光部が受光した光に基づいて前記反射率情報を生成する反射率情報生成部と、
を備える発光装置。
【請求項９】
請求項８に記載の発光装置において、
前記発光条件設定部を動作させるための動作信号が入力される入力部を備え、
前記発光条件設定部は、前記動作信号が入力されたときに前記発光条件を定める発光装置。
【請求項１０】
請求項９に記載の発光装置において、
前記鏡を有する発光装置。
【発明の詳細な説明】
【技術分野】
【０００１】
本発明は、発光装置に関する。
【背景技術】
【０００２】
化粧など、鏡を介して対象物の色を把握する場合がある。このような場合において、鏡の周囲に発光装置を配置し、対象物を視認しやすくすることがある。例えば特許文献１には、鏡の周囲にハロゲンランプ、昼白色蛍光ランプ、及び白色蛍光ランプを配置し、これらの一つをユーザが選択できるようにすることが記載されている。なお、ハロゲンランプはパーティのときの光に対応し、昼白色蛍光ランプは自然光に対応し、白色蛍光ランプはオフィスの光に対応する、と記載されている。
【０００３】
一方、鏡には、反射率の波長依存性がある。このため、鏡を介して対象物の色を把握する場合、対象物の色を正確に把握できない可能性がある。これに対して特許文献２では、鏡のガラス基材の組成を工夫することにより、鏡の反射率の波長依存性を抑制できることが記載されている。
【先行技術文献】
【特許文献】
【０００４】
【特許文献１】特開平８−２４０９５号公報
【特許文献２】特開２００５−４３６４５号公報
【発明の概要】
【発明が解決しようとする課題】
【０００５】
上記したように、鏡には、反射率の波長依存性があるため、鏡を介して対象物の色を把握する場合、対象物の色を正確に把握できない可能性がある。しかし、特許文献２に記載の技術では特別なガラスを使用する必要があるため、鏡の製造コストが増加してしまう。
【０００６】
本発明が解決しようとする課題としては、鏡の製造コストが増加することを抑制しつつ、鏡を介して対象物の色を把握する場合において、対象物の色を正確に把握できるようにすることが一例として挙げられる。
【課題を解決するための手段】
【０００７】
請求項１に記載の発明は、鏡に対向する対象物に向けて光を照射し、かつ調光可能な発光部と、
前記発光部を制御する制御部と、
を備え、
前記鏡は、第１の波長域における光の反射率が、他の波長域における光の反射率よりも低く、
前記制御部は、前記第１の波長域の光が他の波長域の光よりも強くなるように、前記発光部を制御する発光装置である。
【０００８】
請求項７に記載の発明は、鏡に対向する対象物に向けて光を照射し、かつ、互いに異なる波長域にピークを有する複数種類の発光素子を有する発光部と、
基準となる光のスペクトルを示す基準スペクトル情報を記憶する基準記憶部と、
前記鏡の反射率の波長依存性を示す反射率情報を取得する波長依存取得部と、
前記反射率情報および前記基準スペクトル情報に基づいて、前記発光部の発光条件を定める発光条件設定部と、
前記発光条件に基づいて前記発光部を制御する制御部と、
を備える発光装置である。
【図面の簡単な説明】
【０００９】
【図１】第１の実施形態に係る発光装置１０の機能構成を示すブロック図である。
【図２】発光装置１０の効果を説明するための発光スペクトルである。
【図３】発光部１１０の構成の一例を示す平面図である。
【図４】第２の実施形態に係る発光装置１０の機能構成を示すブロック図である。
【図５】実施例１に係る発光装置１０の機能構成を示す図である。
【図６】実施例２に係る発光装置１０の機能構成を示す図である。
【図７】実施例３に係る発光装置１０の機能構成を示す図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
なお、以下に示す説明において、発光装置１０の各構成要素は、ハードウエア単位の構成ではなく、機能単位のブロックを示している。発光装置１０の制御部１２０、発光条件記憶部１２２、基準記憶部１２４、及び発光条件設定部１４０は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１２】
（第１の実施形態）
図１は、第１の実施形態に係る発光装置１０の機能構成を示すブロック図である。図２は、発光装置１０の効果を説明するための発光スペクトルである。発光装置１０は、発光部１１０及び制御部１２０を備えている。発光部１１０は、鏡１２に対向する対象物Ｏ（例えば人物）に向けて光を照射し、かつ調光可能である。制御部１２０は、発光部１１０を制御する。鏡１２は、例えば図２（ａ）に示すように第１の波長域における光の反射率が、他の波長域における光の反射率よりも低い。そして、制御部１２０は、この第１の波長域の光が他の波長域の光よりも強くなるように、発光部１１０を制御する。発光装置１０は、鏡１２を含んだ状態で出荷されてもよい。以下、詳細に説明する。
【００１３】
発光部１１０は、発光素子として、例えば有機ＥＬ（Organic Electroluminescence）素子やＬＥＤ（Light Emitting Diode）を有している。ただし、発光部１１０は、他の種類の発光素子を有していてもよい。発光部１１０は、例えば互いに異なる波長域にピークを有する複数種類の発光素子を有している。そして制御部１２０は、これら複数種類の発光素子の発光強度の相対比を調整することにより、第１の波長域の光が他の波長域の光よりも強くなるように、発光部１１０を制御する。具体的には、制御部１２０は、複数種類の発光素子のうち、発光スペクトルの最大ピークが第１の波長域に含まれる発光素子を、他の発光素子よりも強く発光させる。また、制御部１２０は、発光スペクトルの最大ピークが第１の波長域に含まれていない発光素子の発光強度を弱めてもよい。そして、調整前の（基準となる）発光部１１０のスペクトルを基準にして、調整後の発光部１１０の全体における発光スペクトルを規格化した場合（すなわち発光部１１０の全体の発光スペクトルを調整前の（基準となる）発光部１１０のスペクトルで割った場合）、第１の波長域のピーク値（又は基準波長における強度）は、他の波長域の強度よりも高くなっている（例えば図２（ｂ）参照）。ここで、第１の波長域が青色である場合、基準波長は、例えば４５０ｎｍである。その結果、鏡１２で反射された後の発光部１１０からの光のスペクトルは、演色性が高いスペクトルになったり、又はユーザが望む環境（例えば、早朝やオフィス内、夕暮れ）における光のスペクトルに近くなる。
【００１４】
なお、発光装置１０は、発光条件記憶部１２２を有している。発光条件記憶部１２２は、複数種類の発光素子の発光強度の相対比を示す情報（例えば発光素子に流す電流の比：以下、発光条件と記載）を記憶している。そして制御部１２０は、発光条件記憶部１２２が記憶している発光条件に従って発光部１１０を制御する。
【００１５】
発光条件記憶部１２２が記憶している発光条件は、例えば、発光装置１０を工場から出荷するときに発光条件記憶部１２２に記憶される。この発光条件は、互いに同一の構造を有する複数の発光装置１０のそれぞれで異なっていてもよいし、互いに同一の構造を有する複数の発光装置１０の間で共通の条件であってもよい。前者の場合、発光条件は、複数の発光装置１０のそれぞれの実測データに基づいて、複数の発光装置１０に対して個別に定められる。
【００１６】
なお、発光条件記憶部１２２が記憶している情報は、ユーザによって設定されていてもよい。また、発光条件記憶部１２２が複数の発光条件を記憶しておき、ユーザからの入力に従って、制御部１２０が、発光条件記憶部１２２から一つの発光条件を選択（読み出し）してもよい。
【００１７】
そして、発光部１１０から発光された光を鏡１２で反射させた場合、その反射光の発光スペクトルを、調整前の（基準となる）発光部１１０のスペクトルを基準にして規格化した場合、調整前の（基準となる）発光部１１０に対する差は１０％以内に収まっている。また、演色性を優先する場合、鏡１２で反射された後の発光部１１０からの光の演色評価数は、鏡１２で反射される前の発光部１１０からの光の演色評価数よりも高くなるように、調整することも可能である。ここで、演色評価数は、例えばＪＩＳ−Ｚ８７２６に規定されている平均演色評価数（Ｒａ） であってもよいし、特殊演色評価数（Ｒ９〜Ｒ１５のいずれか）であってもよい。
【００１８】
なお、鏡１２は、例えばガラス基材の裏面に反射層（例えばアルミニウム層などの金属層）を形成した構成を有している。そして第１の波長域は、ガラス基材の組成（不純物の種類及び濃度を含む）と、反射層を構成する材料との組み合わせによって定まる。第１の波長域は、例えば青色の波長域であるが、青色以外の波長域であってもよい。
【００１９】
図３は、発光部１１０の構成の一例を示す平面図である。本図に示す例において、発光部１１０は、一つの基板１１２の上に複数種類の発光素子（例えば発光素子１１４，１１６，１１８）を設けた構成を有している。基板１１２は、例えばガラスや樹脂など、透光性を有する材料を用いて形成されている。また、発光素子１１４，１１６，１１８は、それぞれ、基板１１２の上に、第１電極、発光層、及び第２電極をこの順に重ねた構成を有している。発光素子１１４，１１６，１１８が有機ＥＬ素子の場合、発光層は有機層である。そして、この有機層の構成（例えば材料や膜厚など）を互いに異ならせることにより、発光素子１１４，１１６，１１８に、互いに異なる波長域にピークを持たせることができる。発光素子１１４は例えば青色の発光素子であり、発光素子１１６は例えば緑色の発光素子であり、発光素子１１８は例えば赤色の発光素子である。なお、発光素子１１４，１１６，１１８は、第１電極及び第２電極のうち接地側の電極を共有していてもよい。
【００２０】
以上、本実施形態によれば、鏡１２は、第１の波長域における光の反射率が、他の波長域における光の反射率よりも低い。そして、制御部１２０は、この第１の波長域の光が他の波長域の光よりも強くなるように、発光部１１０を制御する。これにより、発光部１１０から発光された光を鏡１２で反射させた場合、その反射光のスペクトルは、調整前の（基準となる）発光部１１０のスペクトルに近づく。従って、鏡１２に特別な材料を用いなくても、鏡１２のユーザは、鏡１２を介して対象物Ｏ（例えば化粧後の人）のより正確な色を把握することができる。このため、発光装置１０と鏡１２を組み合わせた製品（例えば化粧台）の製造コストを低くすることができる。
【００２１】
（第２の実施形態）
図４は、第２の実施形態に係る発光装置１０の機能構成を示すブロック図である。本実施形態に係る発光装置１０は、以下の点を除いて、第１の実施形態に係る発光装置１０と同様の構成を有している。
【００２２】
発光装置１０は、基準記憶部１２４、波長依存取得部１３０、及び発光条件設定部１４０を有している。基準記憶部１２４は、基準となる光のスペクトルを示す情報（以下、基準スペクトル情報と記載）を記憶している。基準スペクトル情報は、例えば複数の波長における光の強度の相対値である。さらに具体的には、基準スペクトル情報は、標準的な発光条件における発光部１１０の発光スペクトルを示していてもよいし、所望する環境（早朝やオフィス内、夕暮れ）における光のスペクトルであってもよい。波長依存取得部１３０は、鏡１２の反射率の波長依存性を示す情報（以下、反射率情報と記載）を取得する。発光条件設定部１４０は、反射率情報および基準記憶部１２４が記憶している基準スペクトル情報に基づいて、発光部１１０の発光条件を定め、発光条件記憶部１２２に記憶させる。
【００２３】
本図に示す例において、波長依存取得部１３０は、受光部１３２及びスペクトル生成部１３４（反射率情報生成部の一例）を有している。受光部１３２は、発光部１１０が発光している状態において鏡１２からの光を受光する。スペクトル生成部１３４は、受光部１３２が生成した信号に基づいて、反射光のスペクトルを生成する。そして、発光条件設定部１４０は、スペクトル生成部１３４が生成した反射光スペクトルおよび基準記憶部１２４が記憶している基準スペクトル情報に基づいて、反射率情報を得る。反射率情報は、反射率のスペクトル依存性を示す情報であり、例えば、反射光スペクトルを、標準的な発光条件における発光部１１０の発光スペクトルで割ることによって得られる。そして発光条件設定部１４０は、この反射率情報をもとに発光条件を定め、発光条件記憶部１２２に記憶させる。発光条件設定部１４０は、受光部１３２が受光した光のスペクトルを、例えば反射率情報の逆数に基づいて、発光条件を定める。さらに具体的には、発光条件設定部１４０は、受光部１３２が受光した光のスペクトルと基準スペクトルとの差が１０％以内に収まるように、発光条件を定める。
【００２４】
また、波長依存取得部１３０は、受光部１３２及びスペクトル生成部１３４の代わりに、少なくとも一つの反射率情報を記憶する記憶部を有していてもよい。この場合、波長依存取得部１３０は、記憶部から反射率情報を読み出す。そして発光条件設定部１４０は、反射率情報に従って、発光部１１０の発光条件を定める。具体的には、発光条件設定部１４０は、発光素子１１４，１１６，１１８のそれぞれについて、発光スペクトルと、各発光スペクトルにおける発光強度の電流依存性を示す情報（以下、電流情報と記載）を記憶している。そして発光条件設定部１４０は、発光素子１１４，１１６，１１８のそれぞれの発光スペクトルを認識し、認識した強度と電流情報に従って、発光素子１１４，１１６，１１８のそれぞれに流す電流の大きさを定める。例えば発光条件設定部１４０は、反射率情報のうち不足している波長の光が強くなるように、発光素子１１４，１１６，１１８を制御する。これにより、受光部１３２が受光した光のスペクトルは、基準スペクトルに近くなる。
【００２５】
本実施形態によっても、鏡１２の反射率が波長依存性を有していても、鏡１２の反射光の発光スペクトルを、目的とする光のスペクトルに近づけることができる。従って、鏡１２に特別な材料を用いなくても、発光装置１０のユーザは、所望する環境下における対象物Ｏの色を正確に把握できる。このため、発光装置１０と鏡１２を組み合わせた製品の製造コストを低くすることができる。
【実施例】
【００２６】
（実施例１）
図５は、実施例１に係る発光装置１０の機能構成を示す図である。本実施例に係る発光装置１０は、入力部１５０を有している点を除いて、第１の実施形態に係る発光装置１０と同様の構成である。
【００２７】
入力部１５０には、指示情報が入力される。指示情報は、制御部１２０に、発光条件記憶部１２２が記憶している発光条件に従って発光部１１０を制御させることを指示する情報である。制御部１２０は、入力部１５０に指示情報が入力された場合に、実施形態に示した制御を行い、それ以外の場合には、鏡１２からの反射光のスペクトルではなく発光部１１０からの発光スペクトルそのものが、目的とする光（例えば太陽光）の発光スペクトルに近くなる条件で発光部１１０を発光させる。
【００２８】
なお、上記した入力部１５０への入力は、例えば発光装置１０のユーザによって行われる。
【００２９】
本実施例によっても、第１の実施形態と同様に、発光装置１０のユーザは、対象物の色を正確に把握できる。また、発光装置１０のユーザは、対象物Ｏを直接見てその色を確認したい場合に、発光部１１０からの発光スペクトルを、それに適したスペクトルに調節することができる。
【００３０】
（実施例２）
図６は、実施例２に係る発光装置１０の機能構成を示す図である。本実施例に係る発光装置１０は、入力部１５０を有している点を除いて、第２の実施形態に係る発光装置１０と同様の構成である。
【００３１】
入力部１５０には、実施例１と同様に指示情報が入力される。そして制御部１２０は、実施例１と同様に動作する。
【００３２】
また、入力部１５０には、発光条件設定部１４０を動作させるための動作信号が入力される。発光条件設定部１４０は、この動作信号が入力されたときに、発光条件を定め、発光条件記憶部１２２を更新する。
【００３３】
なお、基準記憶部１２４は、複数種類の基準スペクトル情報を有していてもよい。この場合、いずれの基準スペクトル情報を用いるべきかを示す情報が、入力部１５０に入力される。そして発光条件設定部１４０は、入力部１５０に入力された情報に対応する基準スペクトル情報を基準記憶部１２４から読み出し、読み出した基準スペクトル情報を用いて発光条件を定める。
【００３４】
なお、上記した入力部１５０への入力は、例えば発光装置１０のユーザによって行われる。
【００３５】
本実施例によっても、第２の実施形態と同様に、発光装置１０のユーザは、対象物の色を正確に把握できる。また、第１の実施例と同様に、発光装置１０のユーザは、対象物Ｏを直接見てその色を確認したい場合に、発光部１１０からの発光スペクトルを、それに適したスペクトルに調節することができる。
【００３６】
また、発光条件設定部１４０は、入力部１５０に動作信号が入力されたときに、発光条件を更新する。従って、発光装置１０のユーザは、必要な場合にのみ発光条件設定部１４０を動作させることができる。
【００３７】
（実施例３）
図７は、実施例３に係る発光装置１０の機能構成を示す図である。本実施例に係る発光装置１０は、以下の点を除いて、第１の実施形態、第２の実施形態、実施例１、又は実施例２と同様の構成である。本図は、実施例１と同様の場合を示している。
【００３８】
まず、鏡１２には光学フィルム１４が貼り付けられている。光学フィルム１４は、鏡１２からの反射光のスペクトルを変化させる。光学フィルム１４の光の透過率は、例えば特定の波長域の光（例えば赤色）において低くなっている。
【００３９】
また、発光装置１０は第２発光部１６０を有している。第２発光部１６０は、例えば通常の白色の発光部であり、入力部１５０からの入力によって発光の有無が制御されている。このため、第２発光部１６０の発光スペクトルは固定値となっている。そして、第２発光部１６０を発光させている場合、鏡１２を介して対象物Ｏを見ると、対象物Ｏは、特定の色が減色されたように見える。
【００４０】
また、発光部１１０からの発光は、光学フィルム１４を有する状態における鏡１２の反射特性に基づいて、第１の実施形態、第２の実施形態、実施例１、又は実施例２と同様に制御部１２０によって制御されている。このため、発光部１１０を発光させている場合、鏡１２を介して対象物Ｏを見ると、対象物Ｏの演色性は高い。
【００４１】
そしてユーザは、好みに応じて発光部１１０及び第２発光部１６０の一方を発光させる。この選択は、例えば入力部１５０への入力によって行われる。このため、本実施例によれば、鏡１２を介したときの対象物Ｏの見え方を、演色性のよい状態と、特定の色が減色された状態の２通りにすることができる。
【００４２】
以上、図面を参照して実施形態及び実施例について述べたが、これらは本発明の例示であり、上記以外の様々な構成を採用することもできる。
【符号の説明】
【００４３】
１０ 発光装置
１１０ 発光部
１１２ 基板
１１４ 発光素子
１１６ 発光素子
１１８ 発光素子
１２ 鏡
１２０ 制御部
１２２ 発光条件記憶部
１２４ 基準記憶部
１３０ 波長依存取得部
１３２ 受光部
１３４ スペクトル生成部
１４０ 発光条件設定部
【図１】
2015106526.tif 000003
【図２】
2015106526.tif 000004
【図３】
2015106526.tif 000005
【図４】
2015106526.tif 000006
【図５】
2015106526.tif 000007
【図６】
2015106526.tif 000008
【図７】
2015106526.tif 000009